(57)【要約】【課題】電話に応じたくない個人又はグループからの着信に対して他の個人又は他のグループと同じ動作モードで応答することを防止することができる携帯電話端末装置を提供すること。【解決手段】本発明の携帯電話端末装置は、発信者個人又は発信者の属するグループごとに時間割が可能であって決められた設定時間において所定の動作モードを指定可能であるスケジュール作成手段と、着信時に発信者個人又は発信者の属するグループのスケジュールを認識する発信者スケジュール認識部１０３−２と、着信時刻が発信者スケジュール認識部１０３−２により認識された発信者個人又は発信者の属するグループの前記スケジュール作成手段により作成された設定時間のいずれかの設定時間に該当する時に前記該当した設定時間に指定されている動作モードによって報知する動作モード機能部１０３−５と、を具備する。【選択図】　　　図１
2004056259.tif 000002
【特許請求の範囲】
【請求項１】
発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当する時に前記該当した設定時間に指定されている動作モードによって報知する動作モード実行手段と、を具備することを特徴とする携帯電話端末装置。
【請求項２】
前記携帯電話端末に設けられた操作入力手段により指定される動作モードが着信の時に着信音を発生する着信音モードである時のみに、前記動作モード実行手段は、前記スケジュール作成手段により指定されている動作モードを優先して実行することを特徴とする請求項１記載の携帯電話端末装置。
【請求項３】
発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、を具備する携帯電話端末装置において、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当するかを判断する判断ステップと、前記判断ステップにおいて前記着信時刻が前記スケジュール作成手段により作成された前記設定時間のいずれかの設定時間に該当すると判断された時に前記該当した前記設定時間に指定されている動作モードによって報知するステップと、を具備することを特徴とする報知方法。
【請求項４】
発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、を具備する携帯電話端末装置において、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当するかを判断する判断ステップと、前記判断ステップにおいて前記着信時刻が前記スケジュール作成手段により作成された前記設定時間のいずれかの設定時間に該当すると判断された時に前記該当した前記設定時間に指定されている動作モードによって報知するステップと、を実施することを特徴とする報知プログラム。
【発明の詳細な説明】
【０００１】
【発明の属する技術分野】
本発明は、種々の動作モードを設定することができる携帯電話端末装置に関するものである。
【０００２】
【従来の技術】
従来の携帯電話端末装置としては、特開２００１−２５１３９５号公報に記載されているものがある。この従来の携帯電話端末装置は、スケジュールごとに時間割が可能であって、スケジュール項目ごとに複数の異なる動作モードの中から所定の動作モードを指定可能であり、かつ、スケジュールに指定している時刻になると動作モードが移行し、着信があった場合に前記時刻が含まれる時間帯のスケジュールに記憶されている動作モードで通知するというものである。
【０００３】
【発明が解決しようとする課題】
しかしながら、従来の装置においては、スケジュールとこのケジュールに対応する動作モードを指定すると、携帯電話端末装置の電話帳に登録されているすべての登録番号に対して同じ動作モードを適用してしまうために、電話に応じたくない個人又はグループからの着信に対しても同じ動作モードで応答してしまうという問題がある。
【０００４】
本発明は、かかる点に鑑みてなされたものであり、電話に応じたくない個人又はグループからの着信に対して他の個人又は他のグループと同じ動作モードで応答することを防止することができる携帯電話端末装置を提供することを目的とする。
【０００５】
【課題を解決するための手段】
本発明の携帯電話端末装置は、発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当する時に前記該当した設定時間に指定されている動作モードによって報知する動作モード実行手段と、を具備する構成を採る。
【０００６】
この構成によれば、発信者個人又は発信者の属するグループに対して設定時間を指定し前記設定時間における動作モードを指定することができるから、電話に応じたくない個人又はグループからの着信に対して他の個人又は他のグループと同じ動作モードで応答することを防止することができる。
【０００７】
本発明の携帯電話端末装置は、前記構成において、前記携帯電話端末に設けられた操作入力手段により指定される動作モードが着信の時に着信音を発生する着信音モードである時のみに、前記動作モード実行手段は、前記スケジュール作成手段により指定されている動作モードを優先して実行する構成を採る。
【０００８】
この構成によれば、前記効果に加えて、操作入力手段により指定される動作モードが着信音モード以外の時に、操作入力手段により指定される動作モードを優先して実行することができる。
【０００９】
本発明の報知方法は、発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、を具備する携帯電話端末装置において、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当するかを判断する判断ステップと、前記判断ステップにおいて前記着信時刻が前記スケジュール作成手段により作成された前記設定時間のいずれかの設定時間に該当すると判断された時に前記該当した前記設定時間に指定されている動作モードによって報知するステップと、を具備するようにした。
【００１０】
この方法によれば、発信者個人又は発信者の属するグループに対して設定時間を指定し前記設定時間における動作モードを指定することができるから、電話に応じたくない個人又はグループからの着信に対して他の個人又は他のグループと同じ動作モードで応答することを防止することができる。
【００１１】
本発明の報知プログラムは、発信者個人又は発信者の属するグループごとに時間割が可能であって前記時間割によって決められた設定時間において複数の動作モードの中から所定の動作モードを指定可能であるスケジュール作成手段と、着信時に発信者個人又は発信者の属するグループのスケジュールを認識する発信者スケジュール認識部と、実時間データを発生する時計手段と、を具備する携帯電話端末装置において、前記時計手段からの前記実時間データにより得られる着信時刻が前記発信者スケジュール認識部により認識された発信者個人又は発信者の属するグループの前記スケジュール作成手段により作成された設定時間のいずれかの設定時間に該当するかを判断する判断ステップと、前記判断ステップにおいて前記着信時刻が前記スケジュール作成手段により作成された前記設定時間のいずれかの設定時間に該当すると判断された時に前記該当した前記設定時間に指定されている動作モードによって報知するステップと、を実施するようにした。
【００１２】
このプログラムによれば、発信者個人又は発信者の属するグループに対して設定時間を指定し前記設定時間における動作モードを指定することができるから、電話に応じたくない個人又はグループからの着信に対して他の個人又は他のグループと同じ動作モードで応答することを防止することができる。
【００１３】
【発明の実施の形態】
本発明の骨子は、着信時刻が認識部により認識した発信者個人又は発信者の属するグループの設定時間のいずれかの設定時間に該当する時に前記該当した設定時間に指定されている動作モードによって報知することである。
【００１４】
以下、本発明の一実施の形態について、図面を参照にして詳細に説明する。
【００１５】
図１は、本発明の一実施の形態に係る携帯電話端末装置の構成を示すものブロック図である。
【００１６】
図１に示すように、本発明の一実施の形態に係る携帯電話端末装置１００は、アンテナ１０１、無線送受信部１０２、制御部１０３、操作入力部１０４、表示部１０５及び記憶部１０６を具備している。無線送受信部１０２は、アンテナ１０１に接続されている。制御部１０３は、無線送受信部１０２、操作入力部１０４、表示部１０５及び記憶部１０６に接続されている。
【００１７】
無線送受信部１０２は、アンテナ１０１を介して他の通信装置との間で情報の無線通信を行う。制御部１０３は、無線通信に必要なデータ処理をし、表示部１０５における表示動作を制御し、記憶部１０６における記憶動作を制御し、かつ、その他の動作を制御する種々の機能を備えている。図１においては、制御部１０３の構成要素のうち本発明の実施に必要な構成要素だけが示されている。
【００１８】
操作入力部１０４は、数字キー、文字キー及び操作キーを有し、操作信号及び電話番号等を入力する。また、操作入力部１０４は、発信者個人又は発信者の属するグループのスケジュールの設定情報を入力し、着信の時に着信音を発生する着信音モード及びその他の動作モードを設定することができる。表示部１０５は、操作入力部１０４による操作信号及び入力情報を表示し、操作信号応じて記憶部１０６の情報を表示する。また、表示部１０５は、制御部１０３からの情報を表示する。記憶部１０６は、送受信情報、個人又はグループのスケジュール情報及び動作モード設定情報などの種々の情報を記憶する。
【００１９】
制御部１０３は、主制御部１０３−１、発信者スケジュール認識部１０３−２、優先動作モード判断部１０３−３、スケジュール機能部１０３−４、動作モード機能部１０３−５及び時計機能部１０３−６を具備している。
【００２０】
主制御部１０３−１は、発信者スケジュール認識部１０３−２、優先動作モード判断部１０３−３、スケジュール機能部１０３−４、動作モード機能部１０３−５及び時計機能部１０３−６に接続され、これらを制御する。
【００２１】
発信者スケジュール認識部１０３−２は、発信者個人又は発信者の属するグループのスケジュールを認識する。優先動作モード判断部１０３−３は、操作入力部１０４により指定されている動作モードが着信音モード以外の時に、操作入力部１０４により指定されている動作モードを優先にするよう判断して動作モード機能部１０３−５に指示する。
【００２２】
スケジュール機能部１０３−４は、操作入力部１０４からの入力によって、発信者個人又は発信者の属するグループごとにスケジュールの作成が可能である。このスケジュールには、着信音モード、マナーモード、留守番電話モード等の携帯電話端末装置１００に予め設けられている種々の動作モードを指定するための項目が設けられており、発信者個人又は発信者の属するループに対して設定時間ごとに所定の動作モードを指定することができる。図２に個人のスケジュールの例が示され、図３にグループのスケジュールの例が示されている。スケジュール機能部１０３−４においては、操作入力部１０４を操作することにより、発信者個人又は発信者の属するグループ、設定時間及び動作モードを指定することができる。
【００２３】
動作モード機能部１０３−５は、着信音モード、マナーモード又は留守番電話モード等の動作モードを実行する。すなわち、動作モード機能部１０３−５は、操作入力部１０４により指定される動作モードを実行し、また、スケジュール機能部１０３−４により指定された発信者個人又は発信者の属するグループごとの動作モードを実行する。時計機能部１０３−６は、実時間データを発生するものであり、この実時間データに基づいて現在の時刻を得ることができる。
【００２４】
次に、本発明の一実施の形態に係る携帯電話端末装置の動作について、図面を参照して詳細に説明する。図４は、本発明の一実施の形態に係る携帯電話端末装置の動作説明するためのフロー図である。
【００２５】
この携帯電話端末装置１００が自機に対する着呼を検出すると、主制御部１０３−１は操作入力部１０４により指定される動作モードが着信音モードかどうか判断する（ステップＳＴ４０１）。ステップＳＴ４０１において動作モードが着信音モードである時に、主制御部１０３−１は発信者電話番号が登録されているかどうか判断する（ステップＳＴ４０２）。ステップＳＴ４０２において発信者電話番号が登録されている時に、発信者スケジュール認識部１０４は個人設定されているかどうか判断する（ステップＳＴ４０３）。ステップＳＴ４０３において個人設定されている時に、動作モード機能部１０３−５は、着信時刻を読み込み（ステップＳＴ４０４）、設定時間１を読み込む（ステップＳＴ４０５）。
【００２６】
次に、動作モード機能部１０３−５は、着信時刻が設定時間１内にあるかどうか判断する（ステップＳＴ４０６）。ステップＳＴ４０６において着信時刻が設定時間１内にある時に、動作モード機能部１０３−５はスケジュールを参照して設定時間１に指定されている動作モードで報知する（ステップＳＴ４０７）。前記ステップＳＴ４０６において着信時刻が設定時間１内でない時には、動作モード機能部１０３−５は、設定時間２を読み込み（ステップＳＴ４０８）、着信時刻が設定時間２内にあるかどうか判断する（ステップＳＴ４０９）。ステップＳＴ４０９において着信時刻が設定時間２内にある時に、動作モード機能部１０３−５は、スケジュールを参照して設定時間２に指定されている動作モードで報知する（ステップＳＴ４１０）。
【００２７】
前記ステップＳＴ４０３にて、個人設定されていない時に、発信者スケジュール認識部１０３−２はグループ設定されているかどうか判断する（ステップＳＴ４１１）。ステップＳＴ４１１においてグループ設定されている時に、前記ステップＳＴ４０４〜ステップＳＴ４１０と同様の手順で処理を行う。前記ステップＳＴ４０２において発信者登録されていない時、及び、ステップＳＴ４１１においてグループ設定されていない時に、操作入力部１０４により設定されている着信音モードで着信音を報知する（ステップＳＴ４１２）。
【００２８】
例えば、ここで、図２の個人Ａから１９：００に着信があったとする。個人Ａは携帯電話端末装置１００の電話帳に登録されていて、かつ、個人Ａに対してスケジュールが組まれているとし、操作入力部１０４により指定されている動作モードが着信音モードとする。
【００２９】
携帯電話端末装置１００が個人Ａからの着呼を検出すると、操作入力部１０４により指定されている動作モードが着信音モードかどうかを判断する。着信音モードであるので、続いて個人Ａが電話帳に登録されているか判断する。個人Ａが登録されていると判断すると、個人Ａに対してスケジュールが組まれているか個人Ａが含まれるグループに対してスケジュールが組まれているかを判断する。個人Ａに対してスケジュールが組まれていることを認識し、着信時刻１９：００と設定時間２を読み込み、設定時間２のスケジュールの時間帯に指定されている留守番電話Ａで報知することになる。
【００３０】
また、前記ステップＳＴ４０１において着信音モードでない時に、操作入力部１０４により指定されている動作モードで優先して報知する（ステップＳＴ４１３）。この時に、例えば、操作入力部１０４により指定されている動作モードがマナーモードの場合にマナーモードで報知し、操作入力部１０４により指定されている動作モードが留守番電話モードの場合に留守番電話モードで報知する。
【００３１】
なお、本発明の一実施の形態において、スケジュール機能部１０３−３により指定された動作モードを他の動作モードに優先して実行するように構成することもできる。また、本発明は、携帯電話端末装置１００における前記判断の動作と前記報知の動作とを実施する報知プログラムを含むものである。
【００３２】
【発明の効果】
以上説明したように、本発明によれば、発信者個人又は発信者の属するグループに対して設定時間を指定し前記設定時間における動作モードを指定することができるから、電話に応じたくない個人又はグループからの着信に対して他の個人又は他のグループと同じ動作モードで応答することを防止することができる。
【図面の簡単な説明】
【図１】本発明の一実施の形態に係る携帯電話端末装置の構成を示すブロック図
【図２】本発明の一実施の形態に係る携帯電話端末装置における個人のスケジュールの例を説明するための図
【図３】本発明の一実施の形態に係る携帯電話端末装置におけるグループのスケジュールの例を説明するための図
【図４】本発明の一実施の形態に係る携帯電話端末装置の動作を説明するためのフロー図
【符号の説明】
１００　携帯電話端末装置
１０１　アンテナ
１０２　無線送受信部
１０３　制御部
１０４　操作入力部
１０５　表示部
１０６　記憶部
１０３−１　主制御部
１０３−２　発信者スケジュール認識部
１０３−３　優先動作モード判断部
１０３−４　スケジュール機能部
１０３−５　動作モード機能部
１０３−６　時計機能部
【図１】
2004056259.tif 000003
【図２】
2004056259.tif 000004
【図３】
2004056259.tif 000005
【図４】
2004056259.tif 000006